(57)【特許請求の範囲】
【請求項１】
透液性トップシートとバックシートとの間に吸収体が介在されるとともに、表面側両側部に長手方向に亘って表面側に起立する左右一対の立体ギャザーが設けられた吸収性物品において、
前記左右一対の立体ギャザーの間には、表面ギャザー不織布によって長手方向に亘って表面側に起立する左右一対の表面ギャザーが設けられ、この表面ギャザーは、該表面ギャザーの表面側から中央部の前記透液性トップシート及びその両側の前記表面ギャザー不織布に跨り、吸収性物品の長手方向に細長く周方向に閉合する曲線状で施された左右対のエンボスを基端として起立するとともに、平面視で前記左右対のエンボスの離間幅を吸収性物品の長手方向に亘って漸次変化させることにより、起立高さを変化させたことを特徴とする吸収性物品。
【請求項２】
前記左右対のエンボスの離間幅は、排血口対応部において相対的に狭くし、排血口対応部の前後部分において相対的に広く設定してある請求項１記載の吸収性物品。
【請求項３】
前記左右対のエンボスの離間幅は、排血口対応部において相対的に広くし、排血口対応部の前後部分において相対的に狭く設定してある請求項１記載の吸収性物品。
【請求項４】
前記左右対のエンボスは、吸収性物品の長手方向中間部において、前記表面ギャザーの先端又はその近傍を通過し、その前後部において離間幅を広く設定することにより、吸収性物品の長手方向に少なくとも複数の起立部分を有するようにしてある請求項１記載の吸収性物品。
【請求項５】
前記吸収性物品の長手方向両端部において、前記表面ギャザーの内面側を透液性トップシートの表面に接着し起立させないようにしてある請求項１〜４いずれかに記載の吸収性物品。
【発明の詳細な説明】
【技術分野】
【０００１】
本発明は、透液性トップシートとバックシートとの間に吸収体が介在されるとともに、表面側両側部に長手方向に亘って表面側に起立する左右一対の立体ギャザーが設けられ、この左右一対の立体ギャザーの間に、長手方向に亘って表面側に起立する左右一対の表面ギャザーを備えた吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性トップシートとの間に綿状パルプ等からなる吸収体を介在したものが知られている。
【０００３】
この種の吸収性物品にも幾多の改良が重ねられ、体液の漏れを防止するために種々の手段が講じられている。このような体液漏れ防止手段の一つとして、下記特許文献１では、股下部の幅方向両端部の透液性トップシート上に、腹側部から背側部にかけて左右一対のギャザーシートが設けられる吸収性物品において、このギャザーシート間に、一定の間隔を有して前記透液性トップシートの一部が突出して形成された左右一対の突出部が備えられる吸収性物品が開示されている。また下記特許文献２では、吸収体と重ねられ体液の吸収面を形成する表面材に、前記吸収面の略中央部の両脇に複数のひだが配された吸収性物品が開示されている。
【特許文献１】特開２００４−２４３０８号公報
【特許文献２】特開平６−１６９９４８号公報
【発明の開示】
【発明が解決しようとする課題】
【０００４】
しかしながら、上記特許文献１、２記載の吸収性物品に備えられる突出部及びひだは、いずれも腹側部から背側部にかけて一定の起立高さで設けられるため、身体の部位によっては吸収性物品の表面と身体との密着性が失われ、逆に漏れや違和感の原因となっていた。
【０００５】
そこで本発明の主たる課題は、立体ギャザーの中間に、長手方向に亘って左右一対の表面ギャザーを備えた吸収性物品において、フィット性を維持し、違和感を感じることなく、体液の漏れ防止を図ることにある。
【課題を解決するための手段】
【０００６】
前記課題を解決するために請求項１に係る本発明として、透液性トップシートとバックシートとの間に吸収体が介在されるとともに、表面側両側部に長手方向に亘って表面側に起立する左右一対の立体ギャザーが設けられた吸収性物品において、
前記左右一対の立体ギャザーの間には、表面ギャザー不織布によって長手方向に亘って表面側に起立する左右一対の表面ギャザーが設けられ、この表面ギャザーは、該表面ギャザーの表面側から中央部の前記透液性トップシート及びその両側の前記表面ギャザー不織布に跨り、吸収性物品の長手方向に細長く周方向に閉合する曲線状で施された左右対のエンボスを基端として起立するとともに、平面視で前記左右対のエンボスの離間幅を吸収性物品の長手方向に亘って漸次変化させることにより、起立高さを変化させたことを特徴とする吸収性物品が提供される。
【０００７】
上記請求項１記載の発明では、左右一対の立体ギャザーの間に、長手方向に亘って表面側に起立する左右一対の表面ギャザーを設けた吸収性物品であって、この表面ギャザーが、該表面ギャザーの表面側から吸収性物品の略長手方向に沿って付与された左右対のエンボスを基端として起立するとともに、平面視で前記左右対のエンボスの離間幅を吸収性物品の長手方向に亘って漸次変化させることにより、起立高さを変化させる構造としてあるため、身体の部位に応じた起立高さで表面ギャザーを形成することができるようになり、身体とのフィット性を維持したまま、違和感を生じることなく、体液の漏れ防止を図ることができるようになる。
【０００８】
請求項２に係る本発明として、前記左右対のエンボスの離間幅は、排血口対応部において相対的に狭くし、排血口対応部の前後部分において相対的に広く設定してある請求項１記載の吸収性物品が提供される。
【０００９】
上記請求項２記載の発明では、前記左右対のエンボスの離間幅を、排血口対応部において相対的に狭くし、排血口対応部の前後部分において相対的に広く設定することにより、表面ギャザーの起立高さが、排血口対応部では相対的に低くなり、その前後部分では相対的に高くなる。このため、排血口対応部では吸収性物品表面と排血口とが密着して、体液を素速く吸収できるようになるとともに、その前後部分では排血口の斜め前後方向へ拡散しようとする経血等をブロックして漏れを防止できるようになっている。
【００１０】
請求項３に係る本発明として、前記左右対のエンボスの離間幅は、排血口対応部において相対的に広くし、排血口対応部の前後部分において相対的に狭く設定してある請求項１記載の吸収性物品が提供される。
【００１１】
上記請求項３記載の発明は、上記請求項２記載の吸収性物品とは対称的に、前記左右対のエンボスの離間幅を、排血口対応部において相対的に広くし、排血口対応部の前後部分において相対的に狭く設定したものである。このため、表面ギャザーの起立高さは、排血口対応部において相対的に高くなり、その前後部分において相対的に低くなる。これにより、排血口対応部の表面ギャザーの起立高さが高くなり、経血等の横方向の拡散を防止できるとともに、着用者に外観上の安心感を抱かせることもできるようになる。
【００１２】
請求項４に係る本発明として、前記左右対のエンボスは、吸収性物品の長手方向中間部において、前記表面ギャザーの先端又はその近傍を通過し、その前後部において離間幅を広く設定することにより、吸収性物品の長手方向に少なくとも複数の起立部分を有するようにしてある請求項１記載の吸収性物品が提供される。
【００１３】
上記請求項４記載の発明では、前記左右対のエンボスを、吸収性物品の長手方向中間部において、前記表面ギャザーの先端又はその近傍を通過し、その前後部において離間幅を広く設定することにより、吸収性物品の長手方向に少なくとも複数の起立部分が形成されるようにしてあるため、漏れが発生しやすい部分のみ表面ギャザーを起立させることができ、装着時の違和感をより軽減できるようになる。
【００１４】
請求項５に係る本発明として、前記吸収性物品の長手方向両端部において、前記表面ギャザーの内面側を透液性トップシートの表面に接着し起立させないようにしてある請求項１〜４いずれかに記載の吸収性物品が提供される。
【００１５】
上記請求項５記載の発明では、前記吸収性物品の長手方向両端部において、前記表面ギャザーの内面側を透液性トップシートの表面に接着し起立させないことで、装着時に違和感を与えないようになっている。
【発明の効果】
【００１６】
以上詳説のとおり本発明によれば、立体ギャザーの中間に、長手方向に亘って左右一対の表面ギャザーを備えた吸収性物品において、フィット性が維持でき、違和感が生じることなく、体液の漏れ防止を図ることができるようになる。
【発明を実施するための最良の形態】
【００１７】
以下、本発明の実施の形態について図面を参照しながら詳述する。
〔生理用ナプキン１の基本構造〕
図１は本発明に係る生理用ナプキン１の展開図であり、図２は図１のII−II線矢視図、図３は図１のIII−III線矢視図である。
【００１８】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の略側縁部を起立基端とし、かつ少なくとも体液排出部を含むように前後方向に所定の区間内において表面側に突出して設けられた左右一対の立体ギャザーＢＳ、ＢＳと、この左右一対の立体ギャザーＢＳ、ＢＳの間に、長手方向に亘って表面側に起立して設けられた左右一対の表面ギャザー２０、２０とから主に構成され、かつ前記吸収体４の周囲においては、その前後端縁部では前記不透液性バックシート２と透液性トップシート３及び前記表面ギャザー２０を形成している表面ギャザー不織布２１との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００１９】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００２０】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。前記透液性トップシート３として多数の透孔が形成されたメッシュ素材を使用した場合には、経血やおりもの等（以下、まとめて体液という。）が速やかに吸収されるようになり、ドライタッチ性に優れたものとなるため好ましい。
【００２１】
前記透液性トップシート３の幅寸法は、図示例では、図２および図３の横断面図に示されるように、吸収体４の幅よりも若干短めとされ、吸収体４の中央部分を覆うだけに止まり、その表面側両側部には、吸収体４の幅よりも若干外側の範囲まで前記表面ギャザー不織布２１が配設されている。
【００２２】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。吸収体４を囲繞するクレープ紙を設ける場合には、結果的に透液性表面シート３と吸収体４との間にクレープ紙が介在することになり、吸収性に優れる前記クレープ紙によって体液を速やかに拡散させるとともに、これら経血等の逆戻りを防止するようになる。
【００２３】
前記吸収体４は、単層の吸収体からなるものとしてもよいが、図２及び図３に示されるように、上層吸収体４Ａと下層吸収体４Ｂとが積層された構造とされることが好ましい。前記下層吸収体４Ｂは、吸収体配置領域の外縁を画成する平面形状を有し、前記上層吸収体４Ａは、幅方向中央部にナプキン長手方向に細長く区画される領域に、使用面側に高い吸収体の中高部６を形成するために配置される。この中高部６の厚みは、厚くし過ぎると吸収体４の剛性が上がり身体への密着性が低下するため３〜２０mm、好ましくは５〜１５mmとするのが好ましい。前記上層吸収体４Ａの周縁に沿ってその近傍外側位置には、該上層吸収体４Ａの表面側を覆うシート素材の表面側から、周方向に閉合するエンボス８が付与されているとともに、その内側にエンボス９が形成されている。また、前記エンボス８は上層吸収体４Ａの外周とは限らず、上層吸収体４Ａの上面から下層吸収体４Ｂ方向に向けてエンボス８を付与するようにしてもよい。この場合には、エンボス８による窪みが下層吸収体４Ｂに食い込むように高圧力の下で行うようにする。前記エンボス８は上層吸収体４Ａの位置ズレを防止するとともに、中高部６をきっちりと画成するという目的もあるが、このエンボス８については更に詳しく後述する。
【００２４】
前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２５】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１２…，１３…を備え、図６に示されるように、ショーツ３０に対する装着時に、前記ウイング状フラップＷ、Ｗが折返し線ＲＬ位置にて反対側に折り返し、ショーツのクロッチ部分に巻き付けて止着するようになっている。
【００２６】
一方、前記サイド不織布７の内方側部分はほぼ二重に折り返されるとともに、この二重シート内部に、その高さ方向中間部に両端または長手方向の適宜の位置が固定された糸状弾性伸縮部材１５が配設されるとともに、前記糸状弾性伸縮部材１５の上側部位に複数本の、図示例では２本の糸状弾性伸縮部材１６，１６が両端または長手方向の適宜の位置が固定された状態で配設されている。この二重シート部分は前後端部では図３に示されるように、断面Ｚ状に折り畳んで積層された状態で吸収体４側に接着されることによって、前記糸状弾性伸縮部材１５配設部位を屈曲点として、断面く字状に内側に開口を向けたポケットＰ、Ｐを形成しながら表面側に起立する立体ギャザーＢＳ、ＢＳが形成されている。
【００２７】
前記表面ギャザー２０を形成する表面ギャザー不織布２１は、図２および図３に示されるように、前記透液性トップシート３の両側部分から吸収体４の側縁を若干越えた部分までの範囲に亘って配設されている。これにより、生理用ナプキン１の表面側は、幅方向中央部の長手方向に亘って透液性トップシート３が、その両側には表面ギャザー不織布２１、２１が、さらにその両側にはサイド不織布７、７がそれぞれ表面に現れるようになっている。
【００２８】
前記表面ギャザー不織布２１としては、液透過性の素材であればよく、前記透液性トップシート３と同様の素材を使用することができる。ここで、前記透液性トップシート３として前述のメッシュ素材を使用し、表面ギャザー不織布２１として不織布素材を使用することが好ましい。これにより、ナプキン１の幅方向中央部の長手方向に亘る部分では、透液性トップシート３が身体に接触するようになるため、液透過性に優れ、べた付きを抑えることができるとともに、その両側の長手方向に亘る部分では、表面ギャザー不織布２１が身体に接触するようになるため、肌触りを良くすることができるようになり、装着者に快適な使用感を与えることができるようになる。
【００２９】
この表面ギャザー不織布２１には、表面側から生理用ナプキン１の略長手方向に沿って左右対のエンボス８が付与されるとともに、そのエンボス８より外側部分はホットメルトなどの接着剤によって下層シート材に接着されている。一方、表面ギャザー不織布２１の内方側部分は、図４に示されるようにほぼ二重に折り返されるとともに、この二重シート内部の高さ方向先端部であって、少なくとも前記エンボス８が付与される範囲の長手方向に亘って、適宜の位置で固定された糸状弾性伸縮部材２２が配設されている。これによって、前記立体ギャザーＢＳ、ＢＳの中間の前記エンボス８の形成領域には、略長手方向に沿って、前記エンボス８を基端として起立する左右一対の表面ギャザー２０、２０が形成されるようになっている。
【００３０】
前記エンボス８は、図４に示されるように、少なくとも透液性トップシート３が介在された表面ギャザー不織布２１上に付与するようにする。トップシート３が介在しない外側領域に及ぶと、表面ギャザー２０が起立した際に吸収体４が露出してしまい、直接肌に触れるようになるため、好ましくない。そして、前記エンボス８は、図４に示されるように、透液性トップシート３が介在された表面ギャザー不織布２１の表面側から下層吸収体４Ｂに若干食い込むように付与するのが好ましい。これにより、表面ギャザー２０でブロックされた体液が吸収体４に吸収されやすくなる。さらに、表面ギャザー不織布２１の二重に折り返された部分でエンボス８を施すことにより、表面ギャザー２０の折返し状態が確実に維持できる。
【００３１】
前記エンボス８が付与される長手方向範囲より前後側である生理用ナプキン１の長手方向両端部においては、装着時の違和感をなくすため、前記表面ギャザー不織布２１の内面側を透液性トップシート３の表面にホットメルトなどの接着剤によって接着して起立させないようにし、表面ギャザー２０を形成させないようにしてある。
【００３２】
前記エンボス８は、透液性トップシート３の両側に配設される表面ギャザー不織布２１、２１の表面側からそれぞれ、ナプキン１の略長手方向に沿って左右対で付与されている。図１に示される例では、前記エンボス８は、ナプキン１の幅方向中央部に配設される吸収体４Ａの中高部６の周囲を囲むとともに、中央部の透液性トップシート３及びその両側の表面ギャザー不織布２１、２１に跨り、ナプキン１の長手方向に細長く周方向に閉合する曲線状で施されることによって、前記表面ギャザー不織布２１、２１の表面において、ナプキン１の略長手方向に沿った左右対となっている。
【００３３】
ここで、前記表面ギャザー不織布２１、２１に施された左右対のエンボス８、８は、平面視でその離隔幅を生理用ナプキン１の長手方向に亘って漸次変化させて形成されている。これにより、エンボス８を基端として起立する表面ギャザー２０の起立高さを任意に変化させるようにしている。
【００３４】
次に、前記表面ギャザー２０の起立高さを変化させるパターンについて詳述する。第１のパターンは、図１に示されるように、前記左右対のエンボス８，８の離隔幅が、排血口Ｈに対応する部分における前記エンボス８、８の離隔幅ｂ１を相対的に狭く、排血口Ｈに対応する部分の前側部分における前記エンボス８、８の離隔幅ｂ２及び後側部分における前記エンボス８、８の離隔幅ｂ３を相対的に広く設定したものである。すなわち、エンボス８を基端として形成される表面ギャザー２０の起立高さは、排血口Ｈに対応する部分で相対的に低く、その前後部分で相対的に高く形成されるようになる。これにより、排血口Ｈに対応する部分では、ナプキン表面と排血口とが密着して身体とのフィット性が維持できるとともに、体液の漏れが防止できるようになっている。さらに、排血口対応部分の前後部分では、排血口の斜め前後方向へ拡散しようとする体液をブロックして体液の漏れが防止できるようになっている。なお、図示例では、前側部分の離隔幅ｂ２と後側部分の離隔幅ｂ３とがほぼ同幅に形成されているが、身体の構造に応じて、前側部分の離隔幅ｂ２を後側部分の離隔幅ｂ３より相対的に広く形成しても良く、またその逆でも良い。
【００３５】
第２のパターンは、図示しないが、前記第１のパターンとは対称的に、前記左右対のエンボス８、８の離隔幅が、排血口Ｈに対応する部分において相対的に広く、排血口Ｈに対応する部分の前側部分における前記エンボス８、８の離隔幅ｂ２及び後側部分における前記エンボス８、８の離隔幅ｂ３を相対的に狭く設定したものである。このように形成した場合、表面ギャザー２０の高さは、排血口Ｈに対応する部分で相対的に高く形成される。これにより、体液の横漏れが効果的に防止できるとともに、着用者に横漏れに対して外観上の安心感を抱かせることもできるようになる。
【００３６】
第３のパターンは、図５に示されるように、前記左右対のエンボス８、８が、生理用ナプキン１の長手方向中間部ｃにおいて、前記表面ギャザー２０の先端又はその近傍を通過し、その前後部において離間幅を広く設定することにより、前記中間部ｃより前側部分の第１起立部分ｓ１と前記中間部ｃより後側部分の第２起立部分ｓ２とが設けられるようにしたものである。これにより、前記中間部ｃにおいては表面ギャザー２０が形成されなくなるため身体との密着性が向上し、一方で前記起立部分ｓ１、ｓ２では、身体とナプキン表面との間に隙間が生じやすい部分をカバーでき、体液の漏れ防止と同時に身体へのフィット性が向上するようになっている。ここで、図５に示される例では、前記中間部ｃは排血口Ｈより後側の股下領域に設けられ、前記第１起立部分ｓ１は中間部ｃより前側であって排血口Ｈを含む比較的長い範囲に亘って設けられ、前記第２起立部分ｓ２は中間部ｃより後側であって臀部の溝部に対応する部分に設けられている。なお、前記中間部ｃにおけるエンボス８は、表面ギャザー２０を形成する表面ギャザー不織布２１の先端又はその近傍を通過していれば、表面ギャザー不織布２１と透液性トップシート３とに跨って設けられてもよいし、透液性トップシート３上に延在して設けられてもよい。
【００３７】
（他の実施形態例）
(1)図１に示される生理用ナプキン１において、透液性トップシート３と吸収体４との間に所謂セカンドシートとしての親水性繊維層を配置してもよい。
【図面の簡単な説明】
【００３８】
【図１】本発明の生理用ナプキン１の展開図である。
【図２】その横断面図（図１のII−II線矢視図）である。
【図３】その横断面図（図１のIII−III線矢視図）である。
【図４】エンボス８付与前の状態を示す生理用ナプキン１の横断面図である。
【図５】他の形態例に係る生理用ナプキン１の展開図である。
【図６】ナプキンの装着状態を示す斜視図である。
【符号の説明】
【００３９】
１…生理用ナプキン、２…不透液性バックシート、３…透液性トップシート、４…吸収体、４Ａ…上層吸収体、４Ｂ…下層吸収体、５…クレープ紙、６…中高部、７…サイド不織布、８…エンボス、２０…表面ギャザー、２１…表面ギャザー不織布、ＢＳ…立体ギャザー、Ｗ…ウイング状フラップ、ＷＢ…臀部側ウイング状フラップ
【図１】
0005177396.tif 000002
【図２】
0005177396.tif 000003
【図３】
0005177396.tif 000004
【図４】
0005177396.tif 000005
【図５】
0005177396.tif 000006
【図６】
0005177396.tif 000007